(57)【要約】【課題】  旋回流熱風乾燥装置本人特願（２０００−４０４３１２）を作動する時、煤塵・スチーム・臭気が発生しその処理が望まれていた。【解決手段】  高含水産業廃棄物も乾燥が進めば、産業廃棄物中の水分が蒸発してスチームになり、乾燥固形分も水分率を１０％以下まで処理が進めば煤塵が発生し、原料が廃棄物であれば臭気も発生することになり、本件装置は乾燥に使われた熱風を球形サイクロン本人特許（第１９９９７４１号）によって除塵し、スチームトラップを使用して蒸気を除去し終わった後ダクトによって旋回流熱風炉内のバーナーの冷却風として送風し、７００℃の温度で燃焼脱臭することを目的とした循環式排風の一気通貫型除塵、蒸気除去及び燃焼脱臭装置を提供する。【選択図】図１
2007178111.tif 000002
【特許請求の範囲】
【請求項１】
茶カス・コーヒーカス等の含水率の高い廃棄物を水分１０％以下まで乾燥した時、乾燥熱風と共に排出される媒塵をサイクロン等で除去し、除去した後に含まれる蒸気をスチームトラップ本人特願（）で蒸気除去した後、ダクトによって旋回流熱風乾燥装置本人特願（２０００−４０４３１２）の球形熱風炉内にブロアによって導入し、炉内バーナーの７００℃以上に接触して燃焼脱臭することを特徴とする循環式排風の一気通貫型除塵、蒸気除去及び燃焼脱臭システムの方法とその装置。
【請求項２】
前記請求項１記載の循環式排風の一気通貫型除塵、蒸気除去及び燃焼脱臭システムの方法とその装置において、燃焼された後の空気が酸素欠乏に陥らないよう、球形熱風炉内に導入する時、酸素富化装置等により酸素量を適正に制御することを特徴とする循環式排風の一気通貫型除塵、蒸気除去及び燃焼脱臭システムの方法とその装置。
【請求項３】
請求項１記載の媒塵除去用サイクロンは円筒型でも球形サイクロン本人特許（第１９９９７４１号）でもよく次のスチームトラップの間に水噴霧装置を取り付けたウェットサイクロンを設けることで媒塵除去効果も一層進み更に後に続くスチームトラップの負荷を著しく軽くすることを特徴とする循環式排風の一気通貫型除塵、蒸気除去及び燃焼脱臭システムの方法とその装置。
【発明の詳細な説明】
【技術分野】
【０００１】  本発明は旋回流熱風乾燥装置本人特願（２０００−４０４３１２）を作動した際に発生する媒塵、蒸気、臭気を総て大気外に排出せず、一連のダクトによるクローズドシステムにより処理する循環式排風の一気通貫型除塵、蒸気除去及び燃焼脱臭を目的にしたシステムの方法とその装置に関するものである。
【背景技術】本人特許  第１９９９７４１号球形サイクロン
【特許文献１】本人特願２０００−４０４３１２旋回流熱風乾燥装置
【特許文献２】本人特開平１０−２４６５８６水蒸気を除去する装置（以下「スチームトラップ」という）
【０００２】  旋回流熱風乾燥装置は高含水性の産業廃棄物を乾燥することが主な目的であるが、乾燥時に副弐的に発生する媒塵や蒸気及び臭気などは各々発生した時点で適応する機器を取付けて処理を行い処理後は大気放出することが多かった。
【発明の開示】
【発明が解決しようとする課題】
【０００３】  含水率の高い廃棄物を乾燥する時、乾燥物が再利用される条件、例えば有機肥料化する寺は自然発酵できる６５％水分率等では全く問題にならない媒塵が、水蒸気と臭気では問題になったり、牧場の畜舎の敷物用のコーヒーカス等では水分率１０％以下を求められたりすると、殆んど粉塵状態を呈する為、屋内屋外を問わず問題になってくることになる。【０００４】  茶カスはカテキンを多く含み、除菌作用もある為、プラスチックコンパウンドに混入して成形すると除菌プラスチックとして重宝されることになるが、高含水茶カスでは利用できない為、乾燥茶カスにする必要がある。茶カス乾燥も含水率は１０％以下にしなければコンパウンドに混入できない為、必然的に媒塵、蒸気及び臭気の問題が発生してくる。【０００５】  茶カスやおからは、気温が高いと発酵と腐敗が促進される為、速やかに処理しなければならないが、大量に排出されると処理に手間取り発酵臭や腐敗臭が発生し、乾燥過程でも媒塵、蒸気及び臭気の問題を克服しなければならなくなる。
【課題を解決するための手段】
【０００６】  乾燥に使用されるエネルギーは燃料の相異は有っても熱風と高温水蒸気である。この熱風中に茶カス・コーヒーカス・おから等の産業廃棄物の乾燥が進んだ時に含まれる媒塵と水蒸気及び臭気を何らかの方法で除去しなければならないことになり、夫々の条件に合った処理方法に仕分けることになる。【０００７】  本システムでは最初に媒塵を除去するため、サイクロン又は球形サイクロンを使用して媒塵を除去する。次に全く同じサイクロン又は球形サイクロンの内部に水噴射装置を取り付けたウェットサイクロンを用い、最初のサイクロンで除去できなかった媒塵の除去及び、高温水蒸気を水で冷却して次のスチームトラップで除去し易い低温水蒸気に変化させる。【０００８】  低温水蒸気に変換した水蒸気はスチームトラップで除去され、臭気を含んだ気体に変るが臭気を含んだ気体は乾燥装置に予め設置された旋回流熱風用のブロアーにダクトで接続される。該気体はバーナーによって燃焼に使われた気体との混合気体の為、酸素が欠乏していれば酸素富化装置によって酸素を補給して使用する。【０００９】  本システムの最大の特徴は乾燥に使用された熱風又は高温水蒸気に含まれる媒塵、水蒸気又は臭気がダクトで循環して処理され、全く外部へ大気放出しない構造で、旋回流熱風用のブロアーに導入される時も任意の温度を維持している為、冬場の冷気を含んだ外気が旋回流として使用されないので温度の高い分だけ乾燥用エネルギーコストを軽減することが出来る。
【発明の効果】
【００１０】  高含水性の廃棄物を乾燥する時、設置された場所の周辺住民が不快な環境と感じないように配慮する。或いは又は同一工場内で働く作業者から臭気などによる不快感で奇異の視線を感じることがなくなるように思考したシステムで乾燥装置に使用される気体が途中から外部に放出されることが無くなるようダクト接続を行い中間での大気放出を総て無くしたことを特徴とする循環式排風の一気通貫型除塵、蒸気除去及び燃焼脱臭装置。【００１１】  上記の装置で球形サイクロン又は円筒形サイクロンを用い媒塵を除去した後、サイクロン内に水噴霧を行うよう取付けたノズルによって噴霧散水し、サイクロン内が湿度で充満することによって水スクラバー効果が上がるよう工夫し残った媒塵が除去され、水分を含んだ熱風が次のスチームトラップ内で水分を総て落下させた後、臭気を含んだ気体に変化し該気体は旋回流熱風乾燥装置の球形熱風炉に導入されバーナーの熱で燃焼脱臭を行うことを特徴とする循環式排風の一気通貫型除塵、蒸気除去及び燃焼脱臭の方法とその装置。【００１２】  上記の形態において数百度に熱せられた気体が乾燥中に熱を奪われ媒塵をふるい落とし更にウェットスクラバーで細かいホコリを除去し、水分を多量に含んだ気体になった後、該気体はスチームトラップによって水分を落とし、臭気だけが残っている気体は旋回流熱風乾燥装置の球形熱風炉内に導入し、燃焼脱臭を行って再度乾燥装置の旋回流熱風として活用する訳であるが、次から次に熱を奪われたにしても、冬場の外気温とは大幅な温度差があるので炉内温度が維持できる。従って冬場の外気を導入するよりもローコストで乾燥が行える特徴がある。
【発明を実施するための最良の形態】
【実施例１】
【００１３】図１は本発明に係る循環式排風の一気通貫型除塵、上記除去及び燃焼脱臭の方法とその装置の平面図であり図２は立面図である。【００１４】  図中１は媒塵の固気分離用サイクロンで媒塵回収を行う、媒塵を振り落とされた気体はウェットサイクロン２で循環水槽４から出た球形ノズル７本人特願（２００１−２５２５９５）で水を噴射する。【００１５】  水のノズル噴射によってウェットサイクロン２内の加湿を形成する。微少になった媒塵の除去と共に該気体は水分を充分含んだ水蒸気となり次のスチームトラップ３で気水分離を行う水分が取り切れた気体は臭気を持ちダクト８を経て旋回発生用ブロアー９によって強制的に球形熱風炉１０内に入り７００℃以上の熱気により燃焼脱臭し、旋回流を形成して乾燥装置内に送られ廃棄物の乾燥を行う旋回流熱風として繰り返し利用する。
【産業上の利用可能性】
【００１６】  本発明は缶入コーヒー等飲料水の充填業者等から排出するコーヒーカス・茶カス或は下水処理場から排出する下水汚泥等の水分は８５％以上の含水率のため、その殆どが減容されることもなく、高額の引取り価格で産業廃棄物処理業者に処理を依頼して推移してきたが、人口の上昇が止まり、天候不順等の影響から右肩上がりの業績に陰りが見え、或は廃掃法が施行される等、減容又はリサイクル方法の模索が行え始める機運が出始めた。【００１７】上記の機運を殺ぐ最大の難関はイニシャルコストとランニングコストの安価な廃棄物処理用の乾燥装置が世界的に解決されていなかったことに基因する。然し本人特願（２０００−４０４３１２）旋回流熱風乾燥装置を完成させたことで弾みがつき、購入者の希望で媒塵除去、蒸気除去及び臭気の処理が声高になり今回改善することになった。この改善策により乾燥装置周辺からは全く問題になることがなくなり、清潔な廃棄物乾燥処理場が生まれる循環式排風の一気通貫型除塵、蒸気除去及び燃焼脱臭の方法とその装置を提供する。
【図面の簡単な説明】
【００１８】
【図１】システム平面図
【図２】システム立面図
【符号の説明】
【００１９】１．固気分離用サイクロン
２．ウェットサイクロン
３．スチームトラップ
４．循環水槽
５．噴射ポンプ
６．揚水パイプ
７．球形ノズル
８．ダクト
９．旋回流発生用ブロアー
１０．球形熱風炉
【図１】
2007178111.tif 000003
【図２】
2007178111.tif 000004